(57)【特許請求の範囲】
【請求項１】
液体収納容器における収納部の一面に設けられていて、収納部からこの収納部に連続する注出部に向けて前記収納部に収容された液体を送り出す押し込み操作が可能とされた押し込み操作部であって、
前記押し込み操作部は、収納部内方に向けて押し込まれる操作部中心の周りに断面が押し込み方向に凸の谷形とされた谷形環と断面が押し込み方向とは逆方向に凸の山形とされた山形環とを同心にして交互に配置して、押し込む方向に沿う方向に伸縮可能とした伸縮環状体を備え、
前記山形環それぞれの複数個所にして、かつ山形環の峰部の通り芯に交差するようにして、前記押し込み方向に向けて凸となる溝部を設けたことを特徴とする液体収納容器の押し込み操作部構造。
【請求項２】
上記液体収納容器は、上記収納部とこの収納部に連続する上記注出部とが可撓性を有するシートによるシート凹所として成形されてこのシート凹所の周りにフランジを一体に備えている容器本体と、容器本体の前記シート凹所を覆って前記フランジにヒートシールされているフィルムとからなり、前記容器本体とフィルムとの間のシート凹所内を液体の収容空間としているものであり、
前記容器本体における収納部に上記押し込み操作部が設けられている請求項１に記載の液体収納容器の押し込み操作部構造。
【請求項３】
上記液体収納容器は中央に折り線部を有し、該折り線部を中心にした対称の配置となる二つの収納部が設けられていて、前記二つの収納部の押し込み操作部それぞれは折り線部から二つ折りして折り合わせしたときに重なる位置となるように配置されている請求項１または２に記載の液体収納容器の押し込み操作部構造。
【発明の詳細な説明】
【技術分野】
【０００１】
本発明は数滴程度や少しずつ注出して使用する液体を収容する容器に設けられていて、収容の液体を少量で注出することができるようにした押し込み操作部に関するものである。
【背景技術】
【０００２】
従来から、分けて収容された二液を使用時には同時に注出できるようにした取り扱い容易な容器が知られている。例えば、食品に対して後乗せする二種のスパイスやソースを、それぞれが硬質の合成樹脂製板材と軟質の袋状フィルムとからなる隣り合った対の収納部に分け入れるようにした容器が提案されている。（特許文献１）
【０００３】
この特許文献１での容器は、二つの収納部の合成樹脂製板材が連続していて、その中央での折り位置を収納部それぞれの注出口開口予定部分としている。そして、合成樹脂製板材の間を折り曲げることで注出口が開くとともに、折り合わせる板材の間で二つの収納部を押し潰す操作をすることで、注出口から異なるスパイスやソースなどを利用者側の押し潰し加減でその吐出量を調整しながら注出できるものとされている。
【０００４】
また、可撓性のある合成樹脂製のシートに対して真空成形などを施してシート外方側に凸となるシート凹所を形成するとともに、そのシート凹所の内側の空間が覆われるようにフィルムをシートの片面側にヒートシールして、そのフィルムとシートとの間を収納部としたものを容器中央の折り部を間にして二つ設けるようにした容器が提案されている。（特許文献２）
【０００５】
特許文献２に示された容器は具体的には折り部を間にして二つの収納部を対称配置して、フィルム側が相対するように折り部から折り曲げて二つの収納部が同じ位置で重なり、重なり合った二つの収納部の注出口が切り取り部分に沿ったもぎ取りなどによって同位置で開口するようにしている。そして、それぞれ外方に向けて凸となっている二つ収納部を一緒に指先で挟んで押してそれぞれに収容されている液体が注出口から同時に注出でき、注出された二液が混合すれば迅速に化学変化し、生成液を対象物に作用させるものである。
【０００６】
小形容器においても収納部を押すことで少量の液体を滴下させる用途のものとしては目薬容器が知られており、特許文献３に示されているように滴下量を規制する工夫や、容器胴部に複数条の段からなる蛇腹部分を設けて容器自体に高い剛性があっても収納液を滴下するための押し込みが行なえるようにした工夫も示されている。（特許文献３〜６参照）
【先行技術文献】
【特許文献】
【０００７】
【特許文献１】特開昭５９−１０３８６６号公報
【特許文献２】特許第４５６００８２号公報
【特許文献３】実用新案出願公告第３９７５号公報
【特許文献４】実公昭４０−０２１９１６号公報
【特許文献５】実開昭４８−０３６６９０号公報
【特許文献６】実開平０５−０４４１３４号公報
【発明の概要】
【発明が解決しようとする課題】
【０００８】
上述した各種の容器の内、特許文献２にて示されているように、合成樹脂製のシートにシート凹所を形成してこれをフィルムで覆った収納部を対にして備え、折り合わせしてから注出口を共に開口し、外方に凸となった収納部を潰すように押すことで対の収納部に仕分けられた二液が同時に注出されるようにした液体収納容器は構造が簡単であって安価な液体収納容器として提供できるメリットがある。
【０００９】
さらに、収納部の一部分を注出部として先細りさせてその先端部分を注出口予定部とすることも容易であり、特許文献２で示す如く収納部に先細りした注出部を連続させた液体収納容器では、塗布したり滴下したりする対象が小さい場合でも所望部位に向けて二液を少量ずつ注出させ、その部分で二液が混合する状態にすることができ、収容する二液それぞれをそれほど多く収容せずに、使い切りの商品の用途に展開することも可能となる。
【００１０】
そして、二つ折りして収納部を重ね合わせてこれを共に押し潰すようにして二液を注出するタイプの容器において、収納部それぞれの収容量を小さくして収容する液体を注出する場合、収納部を繰り返して押し潰すようにして少量ずつ注出させればよく、上述した特許文献に記載されているように収納部に蛇腹構造を利用して変形できる押し込み操作部を形成すれば対処ができると考えられる。
【００１１】
そこで、本出願人にあっては、合成樹脂製板材であるシートで真空成形などの手法を用いてシート凹所を形成する際、変形容易な部分を有する形式で押し込み操作部も同時に形成することを試みた。具体的には、押し込み操作部の中心部分の周りに、同心円で断面が谷形となる谷形環と断面が山形となる山形環とが交互に繰り返して配置して押し込み方向に沿った方向に変形容易な環状部分を設けた押し込み操作部を、可撓性のある合成樹脂製板材からなるシートに対するシート凹所の成形時に同時に成形するようにした。なお、谷形環や山形環での谷形、山形の形状は板材断面での形状であり、押し込み方向に沿った方向において凹凸となっており、谷形環は押し込み方向に向けて凸とし、山形環は押し込み方向とは反対方向に凸としていた。
【００１２】
しかしながら、伸縮環状体が押し込み方向に延びる変形をするときに山形環が中折れして、部分的に山形の形状が反転するように伸縮環状体の径方向に開いた展開部が一旦形成されてしまうと、その径方向での展開部が伸縮環状体の伸び形状を維持する支えとなっていた。即ち、押し込み操作部が凹んだままとなってしまい、押し込み操作を繰り返して液体を少量ずつ注出することができないという問題があった。
【００１３】
そこで、本発明は上記事情に鑑み、多環の伸縮環状体のある押し込み操作部を押し込んだときにも、上記山形環にその形状が反転する部分が生じないようにすることを課題とし、押し込み操作部を繰り返して押し込み操作できるようにした液体収納容器を得ることを目的とするものである。
【課題を解決するための手段】
【００１４】
（請求項１の発明）
本発明は上記課題を考慮してなされたもので、液体収納容器における収納部の一面に設けられていて、収納部からこの収納部に連続する注出部に向けて前記収納部に収容された液体を送り出す押し込み操作が可能とされた押し込み操作部であって、
前記押し込み操作部は、収納部内方に向けて押し込まれる操作部中心の周りに断面が押し込み方向に凸の谷形とされた谷形環と断面が押し込み方向とは逆方向に凸の山形とされた山形環とを同心にして交互に配置して、押し込む方向に沿う方向に伸縮可能とした伸縮環状体を備え、
前記山形環それぞれの複数個所にして、かつ山形環の峰部の通り芯に交差するようにして、前記押し込み方向に向けて凸となる溝部を設けたことを特徴とする液体収納容器の押し込み操作部構造であり、この液体収納容器の押し込み操作部構造を提供して上記課題を解消するものである。
【００１５】
（請求項２の発明）
そして、本発明は、上記液体収納容器は、上記収納部とこの収納部に連続する上記注出部とが可撓性を有するシートによるシート凹所として成形されてこのシート凹所の周りにフランジを一体に備えている容器本体と、容器本体の前記シート凹所を覆って前記フランジにヒートシールされているフィルムとからなり、前記容器本体とフィルムとの間のシート凹所内を液体の収容空間としているものであり、
前記容器本体における収納部に上記押し込み操作部が設けられているものとすることが可能である。
【００１６】
（請求項３の発明）
また、本発明は、上記液体収納容器は中央に折り線部を有し、該折り線部を中心にした対称の配置となる二つの収納部が設けられていて、前記二つの収納部の押し込み操作部それぞれは折り線部から二つ折りして折り合わせしたときに重なる位置となるように配置されているものとすることが可能である。
【発明の効果】
【００１７】
（請求項１の発明の効果）
山形環に溝部を設けていない伸縮環状体を周囲に配している押し込み操作部を押し込む場合、山形環はその峰部の通り芯が周方向に巡ってなる円形状が縮径するがごとくの変形に移行しかける。しかし峰部は周方向に連続している前記円形状を構成しているために変形がし難く、操作部が押し込まれるに従って峰部の一部分に応力が集中し、部分的に山形の形状が反転することで前記応力が分散される。そして上述したように反転した伸縮環状体の径方向に開いた展開部が一旦形成されてしまうと押し込みの操作が終わっても山形には復元せず、径方向での展開部が伸縮環状体の伸び形状を不適切に維持する部分となる。
【００１８】
これに対して請求項１の発明によれば、山形環の峰部の通り芯に交差するようにして押し込み方向に向けて凸となる溝部を設けているので、山形環の峰部は周方向に巡る円形状を形成しておらず、不連続となっている。そのため、押し込みにより伸縮環状体が伸長し、山形環の峰部が縮径する方向に変形をするときには、溝部（凹部）を間にして隣り合う峰部が相互に近付くようになり、山形の反転に至るまでの応力の集中が峰部に生じない。よって、伸縮環状体の伸び形状を不適切に維持してしまうような展開部が生じないので、押し込みの力を開放すれば押し込み操作部全体は元の形状に戻ることとなり、押し込み操作を繰り返して行なうことができる。
【００１９】
（請求項２の発明の効果）
請求項２の発明によれば、上記押し込み操作部を収納部に配する容器自体の構成が簡単であり、その容器が安価に製造できるという優れた効果を奏する。
【００２０】
（請求項３の発明の効果）
請求項３の発明によれば、二液を混合させて対象物に作用させる用途の容器において、二液を共に少量ずつ注出する容器とすることができる。
【図面の簡単な説明】
【００２１】
【図１】本発明に係る液体収納容器の押し込み操作部構造を実施した二つ折りタイプの液体収納容器の一例を示すもので、二つ折り前の展開状態を示す説明図である。
【図２】二つ折りした液体収納容器の片面側を示す説明図である。
【図３】押し込み操作部の押し込み前の状態を図２Ａ−Ａ線に沿った位置の断面で示す説明図である。
【図４】押し込み操作部の押し込みの状態を図２Ａ−Ａ線に沿った位置の断面で示す説明図である。
【図５】押し込み操作部における伸縮環状体と溝部とを図１Ｂ−Ｂ線に沿った位置の断面で示す説明図である。
【発明を実施するための形態】
【００２２】
つぎに本発明を図１から図５に示す実施の形態に基づいて詳細に説明する。図中１は液体収納容器で、該液体収納容器１は可撓性を有した合成樹脂製板材であるシートからなる容器本体２とこの容器本体２の片面側に重ね合わせてヒートシールしたフィルム３とからなり、容器本体２とこの片面側に重ね合わせて必要部分をヒートシールしたフィルム３との間に液体を収容できるようにした部分を対にして有している。
【００２３】
そして、図１に示されているように、液体収納容器１の中心を通る位置にしてミシン目加工などを施して折り曲げできる折り部４があり、この折り部４を中心にして液体を収容する部分を対称に配置し、フィルム３を内側にしながら折り部４から二つ折りすることで液体を収用する部分が同じ位置で重なるようにしている。
【００２４】
本液体収納容器１で液体を収容する二つの部分を分けて形成している点は二種の異なる液体を未使用の時点では混合しないようにし、また使用に際してはその二種の液体が簡単に混じり合うようにするためのものであり、開封する箇所が近接して同一の対象に向けてそれぞれの液体を共に注出できるように二液を収容する部分の形状が工夫されている。
【００２５】
容器本体２にあっては、液体を収容する部分それぞれが合成樹脂製板材であるシートに対する真空成形などの加工によって片側に膨らみ出るシート凹所として形成された収納部５とこの収納部５に連続する注出部６とから成形されている。そして、注出部６は収納部５との連続部分とは反対側に向けて先細りした形状にして設けられており、その先端側には絞りとなる扁平部７を介して小さな凹形状とされた注出口予定部８がある。図３、図４参照
【００２６】
上記容器本体２はシート凹所（収納部と注出部）の周りにフランジ９を一体に備えていて、シート凹所を覆って前記フランジ９にフィルム３をヒートシールすることで容器本体２とフィルム３との間でのシート凹所内が液体収容のための空間となる。
【００２７】
上記折り部４から液体収納容器１を二つ折りすることで対の収納部５が重なるとともに、上記対の注出部６も重なり合うようにしている。さらに、注出部６それぞれから連結板１０が連続しており、それぞれの連結板１０が折り部４で連続している。この対となった連結板１０は、二つ折りした際に注出部６それぞれの先端がずれずに重なるようにするためのガイドである。
【００２８】
上記連結板１０の部分では、容器本体２のシートとフィルム３とは接合されていない。そして折り部４の位置で本液体収納容器１を二つ折りするときに連結板１０でのフィルム３を折り込み方向とは逆方向に引き出しながら連結板１０を重ね合わせ、その重ね合わされた連結板１０を保持しながらフィルム３を引っ張るようにすることで、上記注出部６の先端の注出口予定部８のフィルムが引き抜かれ、開口した注出口が得られるようにしている。図２参照
【００２９】
また、二つ折りした重ね合わせの状態を安定させるために、折り部４を中心にして対称となるフランジ９の外方側の部分に係止片１１とこの係止片１１を差し入れることのできるスリット１２が設けられている。
【００３０】
図２に示すように上記係止片１１をスリット１２に差し入れて係止させることでフィルム４を内側にした収納部５の重ね合わせが維持され、二つ折りでそれぞれ外方に凸となって突出することとなる二つの収納部５を共に挟み持ち、上記注出口６を開口してからその収納部５を潰すように押し込むことで、収容されている液体を注出口から注出でき、その注出の操作を二つの収納部５のずれなどを意識せずに簡単に行なえる。
【００３１】
（押し込み操作部）
上記収納部５それぞれの一面には押し込み操作部１３が設けられている。この押し込み操作部１３は、収納部５から注出部６に向けて収容の液体を送り出すために収納部５内の内容積を小さくする押し込み操作が可能とされた部分である。実際の操作にあっては上述のように注出口６の先端を開口した後、その注出口６を下にして対象物に向けながら重ね合わされた収納部５を一緒にして挟み持ち、前記押し込み操作部１３を押し込むことで収容の液体が注出口６から注出される。
【００３２】
そして、押し込み操作部１３は、押す力を開放したときに押し込まれている状態から元の位置に復元する弾性を有しており、繰り返して押し込み操作部１３を押し込むことで一方の収納部５に収容の液体と他方の収納部５に収容の液体とを共にして少量ずつ注出できるようにしている。
【００３３】
上記押し込み操作部１３は、円形の操作部中心１４とこの円形の操作部中心１４の周りに位置して押し込む方向に沿う方向に伸縮可能とした伸縮環状体１５とを一体にして形成したものである。前記伸縮環状体１５は図５に示されているようにシートの断面方向での形状が押し込み方向に凸の谷形とされた谷形環１６と、同じ断面方向での形状が押し込み方向とは逆方向に凸の山形とされた山形環１７とを同心にして交互に配置したものであり、この押し込み操作部１３を押し込むことで複数の谷形環１６と複数の山形環１７とがそれぞれ少しずつ変形することにより、この押し込み操作部１３全体が押し込み方向に沿った方向に伸縮可能とされている。
【００３４】
本実施の形態においては、押し込み操作部１３の伸縮環状体１５における最外周にある山形環１７は、収納部５での最外方面（容器厚さ方向でフィルムから最も離れた部分）に連続している。また、伸縮環状体１５全体としては求心方向に向けて徐々にフィルム３に近付く形状としており、中央の操作部中心１４が最もフィルム３に近付く位置に設定されている。
【００３５】
このように収納部５それぞれにおいて操作部中心１４が最もフィルム３に近接した位置となるように形成され、また図示されているように操作部中心１４は面状に形成されており、二つ折りして収納部５が重ね合わされた状態において、前記操作部中心１４がフィルム３を間にして互いに最も近接する位置関係になるように設定されている。
【００３６】
そのため、二つ折りにて重ね合わされている二つの収納部５を一緒に指先で挟んで、前記両操作部中心１４を押し込むように操作すれば、この両操作部中心１４がフィルム３を間にした状態で突き合うこととなり（図４参照）、これによって押し込み操作部１３自体の押し込み量が規制される。そのため、押し込み操作部１３を強く押し込んだとしても収納部５の容積の減少は小さいものにとどまって、一回の押し込み操作での液体の注出量が少量となるように設けられている。
【００３７】
上記山形環１７それぞれには峰部１８の通り芯１９に交差するようにして押し込み操作部１３の押し込み方向に向けて凸となる溝部２０が設けられている。本実施の形態では、前記溝部２０は、山形環１７それぞれにおいてその周方向に等間隔となるようにして四か所に配置されており、伸縮環状体１５全体では溝部２０が径方向に揃うようにしている。
【００３８】
このように山形環１７それぞれには峰部１８の通り芯１９に交差するようにして押し込み方向に向けて凸となる溝部２０が設けられているので、押し込みにより伸縮環状体１５が伸長し、山形環１７が、その峰部１８の通り芯１９が描く円が縮径する方向に変形しても、溝部２０を間にして隣り合う峰部１８が相互に近付くようになり、山形の反転に至るまでの応力の集中が峰部１８に生じない。
【００３９】
よって、上述したように伸縮環状体１５の伸び形状を不適切に維持してしまう展開部は形成されず、押し込みの力を開放すれば押し込み操作部１３全体は元の形状に戻ることとなり、押し込み操作を繰り返して行なって二液が共に少量ずつ注出されるようになる。
【００４０】
本実施の形態においては、押し込み操作部を、二液が未使用前に混合し合わないように分けてそれぞれ収容する対の収納部を備えて二つ折りにより前記収納部が重ね合わされる位置になるようにした液体収納容器に設けた例を示しているが、本発明はこの実施の形態に限定されるものではなく、単一の収納部を有する容器に採用することができるものである。
【符号の説明】
【００４１】
１…液体収納容器
２…容器本体
３…フィルム
４…折り部
５…収納部
６…注出部
９…フランジ
１３…押し込み操作部
１４…操作部中心
１５…伸縮環状体
１６…谷形環
１７…山形環
１８…峰部
１９…通り芯
２０…溝部
【図１】
0006327022.tif 000002
【図２】
0006327022.tif 000003
【図３】
0006327022.tif 000004
【図４】
0006327022.tif 000005
【図５】
0006327022.tif 000006